(57)【要約】【課題】全体がコンパクトになるとともに、構成が簡単な検知ユニットを提供する。【課題を解決するための手段】検知ユニット（１０）は、トリガ送信部（１２）、（１３）と、ＩＤ受信部（１４）、（１５）と、信号を外部に出力する出力回路と、ＩＤ信号受信部（１４）、（１５）でＩＤを受信したとき、その旨の信号を前記出力回路から出力するよう前記出力回路を制御する制御部（１１）とのみを含む。【選択図】図１
2015014930.tif 000002
【特許請求の範囲】
【請求項１】
外部に設けられたＩＤタグを起動するためのトリガ信号を送信するトリガ送信部と、
ＩＤタグからのＩＤ信号を受信するＩＤ受信部と、
外部に信号を出力する出力回路と、
前記ＩＤ受信部がＩＤを受信したとき、その旨を表す信号を前記出力回路が出力するよう制御する制御部とのみを含む、検知ユニット。
【請求項２】
外部に設けられたＩＤタグを起動するためのトリガ送信部と、
ＩＤタグからのＩＤ信号を受信するＩＤ受信部と、
外部に信号を出力する出力回路と、
外部に設けられたセンサからの信号を検知するセンサ検知回路と、
前記センサ検知回路からの検知信号と前記ＩＤ受信部からの受信信号とに応じた所定の信号を前記出力回路から出力するよう制御する制御部と、のみを含む、不審者検知ユニット。
【請求項３】
さらに通信回路を含む、請求項２に記載の不審者検知ユニット。
【請求項４】
前記制御部は第１制御部と第２制御部とを含み、
前記第１制御部は、前記トリガ送信部と、前記ＩＤ受信部とを制御し、
前記第２制御部は、前記出力回路と、前記センサ検知回路とを制御する、請求項２または３に記載の不審者検知ユニット。
【請求項５】
請求項２〜４のいずれかに記載の不審者検知ユニットを含む、不審者検知システム。
【発明の詳細な説明】
【技術分野】
【０００１】
この発明は検知ユニット、不審者検知ユニットおよび不審者検知システムに関し、特に、コンパクトな、検知ユニット、不審者検知ユニットおよび不審者検知システムに関する。
【背景技術】
【０００２】
従来の、人等を検知する不審者検知システムとして、工事現場の防犯システムが、例えば、特開２００５−３１８３１号公報（特許文献１）に開示されている。
【０００３】
図７は特許文献１に開示された防犯システムの構成を示す図である。図７を参照して、防犯システムは、携帯型発信器１０１に現場作業者を識別する個人識別情報（固有のＩＤ番号）が記憶されたメモリ等からなる個人識別情報記憶手段１０１ｂを備えている。携帯型発信器１０１の信号発信部１０１ａは、送信アンテナ１０１ｃから作業者認知信号と個人識別情報記憶手段１０１ｂに記憶されている個人識別情報を端末機器１０３に送信する。端末機器１０３は、受信アンテナ１０３ａと、信号検出器１０３ｂと、送信器１０３ｃと、送信アンテナ１０３ｄと、場所識別情報記憶手段１０３ｅとを含む。携帯型発信器１０１から作業者認知信号と共に個人識別情報を受信した場合には、この個人識別情報を場所識別情報記憶手段１０３ｅに記憶されている場所識別情報と共に管理機器１０４に送信する。さらに、管理機器１０４には、端末機器１０３から場所識別情報と共に送信されてきた個人識別情報を表示する個人識別情報表示手段としての液晶ディスプレイ１０４ｆが設けられている。
【０００４】
上記構成の工事現場防犯システムにおいて、端末機器１０３の信号検出器１０３ｂは、フットスイッチからなる侵入検出センサ１０２からの検出信号が入力されると、これに応じて携帯型発信器１０１からの作業者認知信号が受信されたか否かを調べる。現場作業者が携帯している携帯型発信器１０１の信号発信部１０１ａからは、作業者認知信号と共に個人識別情報記憶手段１０１ｂに記憶されている個人識別情報が端末機器３に同時に送信される。信号検出器１０３ｂは、所定時間内に作業者認知信号が受信された場合、侵入者は正当な現場作業者であると認知して作業者認知信号と同時に受信された個人識別情報を送信器１０３ｃに送出する。送信器１０３ｃは、信号検出器１０３ｂから与えられた個人識別情報を受け取ると、場所識別情報記憶手段１０３ｅに記憶されている場所識別情報を個人識別情報と共に管理機器１０４に無線送信する。管理機器１０４では、端末機器１０３から送信されてくる場所識別情報および個人識別情報が受信アンテナ１０４ａで受信されると、これらの信号が受信器１０４ｂに与えられる。受信器１０４ｂは、これらの場所識別情報および個人識別情報を復調して取り出して、液晶ディスプレイ１０４ｅ，１０４ｆに表示される。したがって、工事管理事務所内の職員は、液晶ディスプレイ１０４ｅ，１０４ｆの表示内容を見て、工事現場のいずれの場所にどのような現場作業者が立ち入ったかを十分に把握することができる。
【０００５】
一方、端末機器１０３の信号検出器１０３ｂは、侵入検出センサ１０２から検出信号が与えられたにもかかわらず、所定時間内に作業者認知信号が受信されない場合には、侵入者は不審者であると判断して警報信号を出力する。したがって、工事管理事務所にいる職員に対して、スピーカ１０４ｄによって不審者が侵入したことが通報されるだけでなく、液晶ディスプレイ１０４ｅによって工事現場のどの場所に不審者が侵入したかを特定することができる。このため、不審者に対して適切な処置を講ずることができる。
【先行技術文献】
【特許文献】
【０００６】
【特許文献１】特開２００５−３１８３１号公報
【発明の概要】
【発明が解決しようとする課題】
【０００７】
従来の防犯装置のような不審者を検知する不審者検知装置は上記のように構成されていた。人の検知のために、フットスイッチのような侵入検出センサと、作業者認知信号の有無を調べる端末機器と、不審者である場合に警報を発する警報機を含む管理機器とが個別に必要で、装置の全体構成が複雑になるという問題があった。
【０００８】
この発明は上記のような問題点を解消するためになされたもので、全体がコンパクトになるとともに、構成が簡単な人等を検知可能な、検知ユニット、不審者検知ユニット、および、不審者検知システムを提供することを目的とする。
【課題を解決するための手段】
【０００９】
この発明に係る検知ユニットは、外部に設けられたＩＤタグを起動するためのトリガ信号を送信するトリガ送信部と、ＩＤタグからのＩＤ信号を受信するＩＤ受信部と、外部に信号を出力する出力回路と、ＩＤ受信部がＩＤを受信したとき、その旨を表す信号を出力回路が出力するよう制御する制御部と、のみを含む。
【００１０】
この発明の他の局面においては、不審者検知ユニットは、外部に設けられたＩＤタグを起動するためのトリガ送信部と、ＩＤタグからのＩＤ信号を受信するＩＤ受信部と、外部に信号を出力する出力回路と、外部に設けられたセンサからの信号を検知するセンサ検知回路と、センサ検知回路からの検知信号とＩＤ受信部からの受信信号とに応じた所定の信号を出力回路から出力するよう制御する制御部と、のみを含む。
【００１１】
好ましくは、不審者検知ユニットはさらに通信回路を含む。
【００１２】
さらに好ましくは、制御部は第１制御部と第２制御部とを含み、第１制御部は、トリガ送信部とＩＤ受信部とを制御し、第２制御部は、出力回路とセンサ検知回路とを制御する。
【００１３】
この発明の他の局面においては、不審者検知システムは、上記の不審者検知ユニットを含む。
【発明の効果】
【００１４】
この発明によれば、検知ユニットや不審者検知ユニットが、トリガ送信部およびＩＤ受信部と、ＩＤ受信部がＩＤタグからの信号を受信したとき、その信号を出力する出力回路のみを含むようにしたため、構成が簡単になるとともに、全体がコンパクトになる。
【００１５】
その結果、どこにでも組込可能な検知ユニットおよび不審者検知ユニットを提供できる。また、この不審者検知ユニットを組み込めば、全体がコンパクトな不審者検知システムを提供できる。
【図面の簡単な説明】
【００１６】
【図１】この発明の一実施の形態に係る人検知ユニットの構成を示すブロック図である。
【図２】この発明の一実施の形態に係る不審者検知ユニットの構成を示すブロック図である。
【図３】不審者検知ユニットを含む不審者検知システムの構成を示すブロック図である。
【図４】センサと不審者検知ユニットとの検知範囲を示す模式図である。
【図５】この発明の他の実施の形態に係る不審者検知ユニットの構成を示すブロック図である。
【図６】この発明のさらに他の実施の形態に係る不審者検知ユニットの構成を示すブロック図である。
【図７】従来の不審者検知システムの構成を示すブロック図である。
【発明を実施するための形態】
【００１７】
以下、図面を参照して、この発明の一実施の形態について説明する。図１は、この実施の形態に係る検知ユニットの全体構成を示すブロック図である。ここでは、検知ユニットが人を検知する場合について説明するため、人検知ユニットとして説明するが、人以外の、動物や、物等を検知する検知ユニットとしてもよい。
【００１８】
図１を参照して、人検知ユニット１０は、図示のない外部に設けられたＩＤタグを起動するためのトリガ信号を、トリガアンテナ１３を介して送信する送信回路１２（送信回路１２とトリガアンテナ１３とで「トリガ送信部」という）と、起動されたＩＤタグからのＩＤ信号を、受信アンテナ１５を介して受信する受信回路１４（受信アンテナ１５と受信回路１４とで「ＩＤ受信部」という）と、受信回路１４で受信した信号に基づいて外部へその旨の信号を出力する出力回路１６と、これらの回路等１２〜１６を制御するための制御部１１とを含む。制御部１１は、ＩＤ受信部がＩＤタグからのＩＤを受信したとき、その旨を表す信号を出力回路１６が出力するよう制御する。
【００１９】
ここで、出力回路１６は、接点出力信号を出力し、これを外部に設けられた警報装置等がこの信号を受けて警報等を発する。
【００２０】
ここでは、トリガアンテナ１３や受信アンテナ１５が人検知ユニット１０の外部に突出しているように図示しているが、これは、人検知ユニット１０を箱状とし、その内部に収容するようにしてもよい。
【００２１】
ところで、ＩＤタグは、従来から、移動体の検出のために利用されている。そのような場合には、床や天井にトリガ信号を出力するトリガアンテナを設け、このトリガアンテナからトリガ信号を出力し、これに近接したＩＤタグを起動して、ＩＤタグからのＩＤ等を受信している。
【００２２】
しかしながら、このような構成では、設備が大掛かりになってしまう。そこで、ここではトリガ信号を出力するトリガアンテナを人検知ユニットの内部に収容可能とした。
【００２３】
次に、この人検知ユニット１０の動作について説明する。ここでは、老人ホーム等で介護老人を検知する場合について説明する。
【００２４】
老人ホームでは、老人が徘徊しては困る箇所にこの人検知ユニット１０が載置され、老人がＩＤタグを保持して移動している。また、人検知ユニット１０の出力回路１６は外部に設けられた図示のない警報器に接続され、出力回路１６からの出力信号があれば、警報器が作動する。
【００２５】
人検知ユニット１０は、常時、ＩＤタグを起動するトリガ信号をトリガアンテナ１３から出力している。ＩＤタグがこのトリガ信号を受信すると、ＩＤタグはＩＤ信号を出力する。これは受信アンテナ１５で受信され、受信回路１４および出力回路１６を介して外部に設けられた警報器を作動させる。
【００２６】
以上のように、この実施の形態における人検知ユニット１０は、送信アンテナ１３を有する送信回路１２と、受信アンテナ１５を有する受信回路１４と、接点出力を行う出力回路１６と、それらを制御する制御部１１とのみを含む。人検知ユニット１０の構成要素を少なくしたため、全体をコンパクトにできる。その結果、人検知ユニット１０は、例えば、外部に設けられるセンサ等の内部に収容可能になる。
【００２７】
次に、この発明の他の実施の形態について説明する。ここでは、不審者検知ユニットとして利用する場合について説明する。
【００２８】
不審者検知ユニットは、単に人を検知するのではなく、特定の不審者のみを検知する。具体的には、不審者でない特定の人はＩＤタグを有しており、ある特定の場所で、ＩＤタグを有していない人を不審者として検出する。
【００２９】
図２は、不審者検知ユニット２０の構成を示すブロック図である。図２を参照して、不審者検知ユニット２０は、図１に示した人検知ユニット１０にセンサ検知回路２１を加えたものである。したがって、同一部分に同一の参照符号を付して、同一部分についてはその説明を省略する。
【００３０】
不審者検知ユニット２０が組み込まれた不審者検知システムを図３に示す。図３を参照して、不審者検知システム３０は、パッシブセンサ３１と、パッシブセンサ３１に接続された不審者検知ユニット２０と、不審者検知ユニット２０に接続された警報器４０とを含む。パッシブセンサ３１は、人体表面から放出される赤外線を検知する検知器３２を含む。なお、ここではセンサとしてパッシブセンサ３１を用いる場合について説明しているが、これに限らず、赤外線センサやフットセンサ等であってもよい。
【００３１】
不審者検知ユニット２０は検知器３２の検知信号を受けるセンサ検知回路２１と、トリガ送信部２２と、ＩＤ受信部２３と、外部へ信号を出力する出力回路１６と、これらを制御する制御部１１とを含む。トリガ送信部２２が図２に示した送信回路１２とトリガアンテナ１３とを含み、ＩＤ受信部２３が受信回路１４と受信アンテナ１５とに対応する。
【００３２】
出力回路１６からの接点信号は警報器４０の入力回路４１に入力される。
【００３３】
次に、パッシブセンサ３１の移動体の検知エリアと不審者検知ユニット２０のトリガ送信部２２の送信エリアの関係について図４を参照して説明する。図４は、不審者検知ユニット２０を内蔵したパッシブセンサ３１をその上方向から見た平面図である。ここでは、不審者検知ユニット２０のトリガ送信部は磁界を送信し、ＩＤタグはこの磁界に応答してＩＤを出力するものとする。
【００３４】
図４を参照して、パッシブセンサ３１は円筒形であり、円筒の軸方向の中心を中心として約３０〜４５度の検知窓を有している。検知窓は、移動体を検知可能な所定の高さを有している。したがって、パッシブセンサ３１の検知器３２は、扇形範囲（図中Ａ(右上がり斜線)で示す範囲）においてのみ、移動体を検知する。なお、図中左右方向の矢印で移動体の移動方向を示している。
【００３５】
一方、この実施の形態においては、不審者検知ユニット２０は上記のようにパッシブセンサ３１に内蔵されている。したがって、不審者検知ユニット２０のトリガ送信部２２が送信する送信エリア（磁界エリア）はパッシブセンサ３１の中心を中心とした一定の球状領域(図中Ｂ（左上がり斜線）で示す範囲)である。ここでは、磁界エリアは、半径が約２ｍ程度の球状とする。
【００３６】
したがって、両者が重なる範囲（図中Ａ且つＢで示す範囲（クロスハッチングで示す範囲）について制御部１１がＩＤタグを有する移動体が位置しているのか否かを判断する。
【００３７】
すなわち、パッシブセンサ３１がその前面において移動体を検知する。不審者検知ユニット２０の制御部１１はＩＤタグからのＩＤの受信の有無を判断する。制御部１１は移動体がＩＤタグを有していないと判断したときにのみ、出力回路１６に接点信号を出力する。
【００３８】
基本的に、不審者検知システム３０が設けられている場所へのアクセスが許可されている移動体はＩＤタグを有しているため、ＩＤタグを有していない移動体についてのみ、警報が発せられる。
【００３９】
その結果、簡単な構成で、不審者を検知できる不審者検知ユニットおよび、それを用いた不審者検知システムを提供できる。
【００４０】
次に、この発明のさらに他の実施の形態について説明する。ここでは、不審者検知ユニットの変形例として説明する。
【００４１】
図５は、この実施の形態に係る不審者検知ユニット５０の構成を示すブロック図である。図５を参照して、不審者検知ユニット５０は、図２に示した不審者検知ユニット２０に対して外部へデータ（例えば、ＩＤタグのＩＤ）等を送信するための通信回路５２を有している点、および制御部５１がこれを含めた全構成要素を制御する点のみが異なる。したがって、同一部分に同一の参照符号を付して、同一部分についてはその説明を省略する。
【００４２】
この実施の形態における通信回路５２は、例えば、外部に設けられた通信用のＵＳＢインターフェース／２３２Ｃインターフェース５３に接続される。なお、外部に設けられるのはＵＳＢや、２３２Ｃインターフェースに限らず、ＬＡＮ用のインターフェイスであってもよい。
【００４３】
このＵＳＢインターフェース等を用いて外部に接続される機器はパソコン等の任意の機器であってもよい。このようにすれば、ＩＤタグを有する移動体をパソコン等で個別に認識可能になる。
【００４４】
なお、内部および外部に設けられる通信規格によって任意のインターフェースが設けられてもよい。
【００４５】
また、これ以外の機器の構成は、図３と同様であってもよい。
【００４６】
なお、上記実施の形態においては、制御部５１が、センサからの入力、トリガ信号の出力から、ＩＤタグからのＩＤの受信、外部接点への信号出力、外部機器への通信回路等の制御を行うように記載している。したがって、全体をコンパクトにできる。
【００４７】
次に、この発明のさらに他の実施の形態について説明する。図６はこの発明のさらに他の実施の形態を示すブロック図である。
【００４８】
上記実施の形態においては、一つの制御部で、ＩＤタグの処理から外部への信号の出力までを行う例について説明した。
【００４９】
この実施の形態においては、ＩＤタグ等を起動するためのコイルからのトリガ信号を送信する送信部とＩＤタグからのＩＤを受信するＩＤ受信部とを処理する第１制御部５１ａと、外部機器からの信号の入力を行う入力回路およびＩＤタグから受信したＩＤ等により外部への信号を出力する出力回路の制御を行う第２制御部５１ｂとを別に設けるようにした。
【００５０】
このような構成とすることによって、ＩＤタグを検出するためのより確実なリアルタイムの処理が可能になる。また、別に第２制御部５１ｂを設けたため、センサ検知回路２１や、出力回路１６や、通信回路５２のみならず、表示部５４や、時計等も合わせた処理が可能になる。また、通信回路５２だけでなく、先の実施の形態においては、他の通信規格回路（ＬＡＮ等）も併行で処理が可能になる。
【００５１】
この場合、外部機器からの信号の入力を行う入力回路およびＩＤタグから受信したＩＤ等により外部への信号を出力する出力回路を制御する第２制御部は、ＩＤタグからの受信データが正しいデータか否かを判定するとともに、時刻を付加して図示のないメモリに書込み、同時に外部から入力された機器からの指示により、メモリにあるデータの送受信処理も行う。
【００５２】
また、上記実施の形態においては、不審者検知システムに適用した場合の例について説明したが、これに限らず、危険物や機器の近傍にセンサを設け、ＩＤタグを有する人や物と、ＩＤタグを有さない人や物とを区別して警報を鳴らしたり、機器を止めたりする場合にも適用できる。
【００５３】
また、逆にＩＤタグを持った人がいる間は機器等を稼働するが、離れると機器等の作動を停止することで、ＩＤタグを有するか否かによって機器の動作を制御してもよい。
【００５４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５５】
この発明によれば、構成が簡単でコンパクトな検知ユニット、不審者検知ユニット、およびおそれを用いた不審者検知システムを提供できるため、不審者検知ユニット等として有利に使用される。
【符号の説明】
【００５６】
１０  人検知ユニット、１１,５１  制御部、１２  トリガ信号送信回路、１３  トリガアンテナ、１４  受信回路、１５  受信アンテナ、１６  出力回路、２０,５０  不審者検知ユニット、２１  センサ検知回路、３０  不審者検知システム、３１  パッシブセンサ、３２  検知器、４０  警報器、４１  入力回路、  ５１ａ  第１制御部、５１ｂ  第２制御部、５２  通信回路、５３  ＵＳＢインターフェース／２３２Ｃインターフェース、５４  表示部。
【図１】
2015014930.tif 000003
【図２】
2015014930.tif 000004
【図３】
2015014930.tif 000005
【図４】
2015014930.tif 000006
【図５】
2015014930.tif 000007
【図６】
2015014930.tif 000008
【図７】
2015014930.tif 000009